(57)【要約】【課題】各設定項目の設定値を変更する操作を、従来に比べて簡易に行えるようにする。【解決手段】方向キーの操作が検出されたときは（ステップＳ１１のＹ）、その方向キーの操作方向の設定項目の設定値記憶領域の現在の設定値が上限値であれば（ステップＳ１２のＹ）、方向キーの操作方向の設定項目の設定値記憶領域の値として下限値を選択して、その値で設定値記憶領域を更新する（ステップＳ１３）。方向キーの操作方向の設定項目の設定値記憶領域の現在の設定値が上限値でなければ（ステップＳ１２のＮ）、その方向キーの操作方向の設定項目の設定値記憶領域の現在の設定値を「＋１」だけ増加した値を設定値として選択し、その値で設定値記憶領域４４を更新する（ステップＳ１４）。【選択図】図８
2007334385.tif 000002
【特許請求の範囲】
【請求項１】
複数種類の設定についてそれぞれ設定値を複数段階の中から選択すると、この選択した設定値を記憶して、この記憶された各設定の設定値に応じて動作する電子機器であって、
方向キーと、
前記方向キーで選択できる各方向の操作と前記各設定とを関連付けて記憶している第１記憶手段と、
前記方向キーで選択された前記設定値を前記設定ごとに記憶する第２記憶手段と、
前記方向キーの各方向の操作を検出する検出手段と、
前記検出手段により前記方向キーの操作を検出したときは、前記第１記憶手段を参照して、当該検出した方向の操作と関連付けて記憶されている設定について前記第２記憶手段に記憶されている前記設定値を１段階変更して更新する更新手段と、
を備えていることを特徴とする電子機器。
【請求項２】
複数種類の設定についてそれぞれ設定値を複数段階の中から選択すると、この選択した設定値を記憶して、この記憶された各設定の設定値に応じて動作する電子機器であって、
方向キーと、
決定キーと、
前記方向キーで選択できる各方向の操作と前記各設定とを関連付けて記憶する第１記憶手段と、
前記方向キーで選択された前記設定値を前記設定ごとに記憶する第２記憶手段と、
前記方向キーの各方向の操作を検出する第１検出手段と、
前記決定キーの操作を検出する第２検出手段と、
前記第１検出手段により前記方向キーの操作を検出したときは、前記第１記憶手段を参照して、当該第１検出手段で検出した方向の操作と関連付けて記憶されている設定について前記第２記憶手段に記憶されている前記設定値を１段階変更した設定値を選択する選択手段と、
前記第１検出手段により前記方向キーの操作を検出して後、前記第２検出手段により前記決定キーの操作を検出したときは、前記第２記憶手段に記憶されている前記設定値を前記選択手段で選択した設定値に更新する更新手段と、
を備えていることを特徴とする電子機器。
【請求項３】
表示装置と、
前記検出手段により前記方向キーの操作を検出したときは、前記第１記憶手段で当該検出した方向の操作と関連付けて記憶されている設定、及び前記更新手段で更新後の設定値を前記表示装置に表示する表示手段と、
をさらに備えていることを特徴とする請求項１に記載の電子機器。
【請求項４】
表示装置と、
前記第１検出手段により前記方向キーの操作を検出したときは、前記第１記憶手段で当該検出した方向の操作と関連付けて記憶されている設定、及び前記選択手段で選択した設定値を前記表示装置に表示する表示手段と、
をさらに備えていることを特徴とする請求項２に記載の電子機器。
【請求項５】
複数種類の設定についてそれぞれ設定値を複数段階の中から選択すると、この選択した設定値を記憶して、この記憶された各設定の設定値に応じた動作を行うことをコンピュータに実行させるコンピュータに読み取り可能なプログラムであって、
コンピュータの方向キーで選択できる各方向の操作と前記各設定とを関連付けて記憶装置に記憶する第１記憶手段と、
前記方向キーで選択された前記設定値を前記設定ごとに記憶装置に記憶する第２記憶手段と、
前記方向キーの各方向の操作を検出する検出手段と、
前記検出手段により前記方向キーの操作を検出したときは、前記第１記憶手段を参照して、当該検出した方向の操作と関連付けて記憶されている設定について前記第２記憶手段に記憶されている前記設定値を１段階変更して更新する更新手段と、
をコンピュータに実行させることを特徴とするプログラム。
【請求項６】
複数種類の設定についてそれぞれ設定値を複数段階の中から選択すると、この選択した設定値を記憶して、この記憶された各設定の設定値に応じた動作を行うことをコンピュータに実行させるコンピュータに読み取り可能なプログラムであって、
コンピュータの方向キーで選択できる各方向の操作と前記各設定とを関連付けて記憶装置に記憶する第１記憶手段と、
前記方向キーで選択された前記設定値を前記設定ごとに記憶装置に記憶する第２記憶手段と、
前記方向キーの各方向の操作を検出する第１検出手段と、
コンピュータの決定キーの操作を検出する第２検出手段と、
前記第１検出手段により前記方向キーの操作を検出したときは、前記第１記憶手段を参照して、当該第１検出手段で検出した方向の操作と関連付けて記憶されている設定について前記第２記憶手段に記憶されている前記設定値を１段階変更した設定値を選択する選択手段と、
前記第１検出手段により前記方向キーの操作を検出して後、前記第２検出手段により前記決定キーの操作を検出したときは、前記第２記憶手段に記憶されている前記設定値を前記選択手段で選択した設定値に更新する更新手段と、
をコンピュータに実行させることを特徴とするプログラム。
【請求項７】
前記検出手段により前記方向キーの操作を検出したときは、前記第１記憶手段で当該検出した方向の操作と関連付けて記憶されている設定、及び前記更新手段で更新後の設定値をコンピュータの表示装置に表示する表示手段をさらにコンピュータに実行させることを特徴とする請求項５に記載のプログラム。
【請求項８】
前記第１検出手段により前記方向キーの操作を検出したときは、前記第１記憶手段で当該検出した方向の操作と関連付けて記憶されている設定、及び前記選択手段で選択した設定値をコンピュータの表示装置に表示する表示手段をさらにコンピュータに実行させることを特徴とする請求項６に記載のプログラム。
【発明の詳細な説明】
【技術分野】
【０００１】
本発明は、複数種類の設定についてそれぞれ設定値を複数段階の中から選択すると、この選択した設定値を記憶して、この記憶された各設定の設定値に応じて動作する電子機器、及びこのような動作を可能とするコンピュータに読み取り可能なプログラムに関する。
【背景技術】
【０００２】
携帯電話その他の様々な電子機器においては、音量設定、画面設定など、様々な設定項目をユーザが入力操作して設定できるのが通例である。このような設定では、各設定項目の設定値を複数段階の中から選択できるようにしている。つまり、音量設定であれば、例えば、１，２，３，４，５の５段階の中からユーザが所望の設定値を選択することができる。この設定がなされて、その設定値が記憶されると、以後、その電子機器は記憶された設定値に応じた動作を行う。すなわち、音量設定であれば、選択された設定値に応じた音量で音声が出力される。
【０００３】
また、複数の設定項目がある場合は、画面で複数の設定項目のうちの１つを選択すると、その選択した設定項目の画面に移行し、その設定項目の画面の中で当該設定項目の設定値を選択するのが一般的である。例えば、複数の設定項目の中でユーザが変更したいのが音量調節であれば、音量調節の項目を選択し、表示された音量調節の画面の中で所望の音量の設定値を選択する。
【０００４】
さらに、特許文献１には、電子機器のモード選択を十字キーで行う場合について、例えば左右位置から上下位置（あるいはその逆）に操作する際に、わざわざ十字キーの十字の交点である原点に戻ることなく、左右位置から上下位置に（あるいはその逆）ただちに移行できるようにして、操作の簡易化を図る技術について開示されている。
【特許文献１】特開２００６‐１１３９２０号公報
【発明の開示】
【発明が解決しようとする課題】
【０００５】
しかしながら、特許文献１に開示の技術は、わざわざ十字キーの十字の交点である原点に戻ることなく操作できるようにして、操作の簡易化を図るにとどまるものである。
【０００６】
前述のように複数の設定項目のうちの１つの設定値を変えようとすると、特許文献１に開示の技術によっても、十字キーを操作して複数の設定項目のうちの１つを選択して当該設定項目の画面を表示し、再度、十字キーを操作することにより、その設定項目の画面の中で当該設定項目の設定値を選択した上で、決定の操作を行う必要があり、操作は煩雑であるといえる。
【０００７】
そこで、本発明の目的は、各設定項目の設定値を変更する操作を、従来に比べて簡易に行えるようにすることである。
【課題を解決するための手段】
【０００８】
（１）本発明は、複数種類の設定についてそれぞれ設定値を複数段階の中から選択すると、この選択した設定値を記憶して、この記憶された各設定の設定値に応じて動作する電子機器であって、方向キーと、前記方向キーで選択できる各方向の操作と前記各設定とを関連付けて記憶している第１記憶手段と、前記方向キーで選択された前記設定値を前記設定ごとに記憶する第２記憶手段と、前記方向キーの各方向の操作を検出する検出手段と、前記検出手段により前記方向キーの操作を検出したときは、前記第１記憶手段を参照して、当該検出した方向の操作と関連付けて記憶されている設定について前記第２記憶手段に記憶されている前記設定値を１段階変更して更新する更新手段と、を備えていることを特徴とする電子機器である。
【０００９】
この場合に、表示装置と、前記検出手段により前記方向キーの操作を検出したときは、前記第１記憶手段で当該検出した方向の操作と関連付けて記憶されている設定、及び前記更新手段で更新後の設定値を前記表示装置に表示する表示手段と、をさらに備えていることを特徴としてもよい。
【００１０】
別の面からみた本発明は、複数種類の設定についてそれぞれ設定値を複数段階の中から選択すると、この選択した設定値を記憶して、この記憶された各設定の設定値に応じた動作を行うことをコンピュータに実行させるコンピュータに読み取り可能なプログラムであって、コンピュータの方向キーで選択できる各方向の操作と前記各設定とを関連付けて記憶装置に記憶する第１記憶手段と、前記方向キーで選択された前記設定値を前記設定ごとに記憶装置に記憶する第２記憶手段と、前記方向キーの各方向の操作を検出する検出手段と、前記検出手段により前記方向キーの操作を検出したときは、前記第１記憶手段を参照して、当該検出した方向の操作と関連付けて記憶されている設定について前記第２記憶手段に記憶されている前記設定値を１段階変更して更新する更新手段と、をコンピュータに実行させることを特徴とするプログラムである。
【００１１】
この場合に、前記検出手段により前記方向キーの操作を検出したときは、前記第１記憶手段で当該検出した方向の操作と関連付けて記憶されている設定、及び前記更新手段で更新後の設定値をコンピュータの表示装置に表示する表示手段をさらにコンピュータに実行させることを特徴としてもよい。
【００１２】
（２）本発明は、複数種類の設定についてそれぞれ設定値を複数段階の中から選択すると、この選択した設定値を記憶して、この記憶された各設定の設定値に応じて動作する電子機器であって、方向キーと、決定キーと、前記方向キーで選択できる各方向の操作と前記各設定とを関連付けて記憶する第１記憶手段と、前記方向キーで選択された前記設定値を前記設定ごとに記憶する第２記憶手段と、前記方向キーの各方向の操作を検出する第１検出手段と、前記決定キーの操作を検出する第２検出手段と、前記第１検出手段により前記方向キーの操作を検出したときは、前記第１記憶手段を参照して、当該第１検出手段で検出した方向の操作と関連付けて記憶されている設定について前記第２記憶手段に記憶されている前記設定値を１段階変更した設定値を選択する選択手段と、前記第１検出手段により前記方向キーの操作を検出して後、前記第２検出手段により前記決定キーの操作を検出したときは、前記第２記憶手段に記憶されている前記設定値を前記選択手段で選択した設定値に更新する更新手段と、を備えていることを特徴とする電子機器である。
【００１３】
この場合に、表示装置と、前記第１検出手段により前記方向キーの操作を検出したときは、前記第１記憶手段で当該検出した方向の操作と関連付けて記憶されている設定、及び前記選択手段で選択した設定値を前記表示装置に表示する表示手段と、をさらに備えているようにしてもよい。
【００１４】
別の面から見た本発明は、複数種類の設定についてそれぞれ設定値を複数段階の中から選択すると、この選択した設定値を記憶して、この記憶された各設定の設定値に応じた動作を行うことをコンピュータに実行させるコンピュータに読み取り可能なプログラムであって、コンピュータの方向キーで選択できる各方向の操作と前記各設定とを関連付けて記憶装置に記憶する第１記憶手段と、前記方向キーで選択された前記設定値を前記設定ごとに記憶装置に記憶する第２記憶手段と、前記方向キーの各方向の操作を検出する第１検出手段と、コンピュータの決定キーの操作を検出する第２検出手段と、前記第１検出手段により前記方向キーの操作を検出したときは、前記第１記憶手段を参照して、当該第１検出手段で検出した方向の操作と関連付けて記憶されている設定について前記第２記憶手段に記憶されている前記設定値を１段階変更した設定値を選択する選択手段と、前記第１検出手段により前記方向キーの操作を検出して後、前記第２検出手段により前記決定キーの操作を検出したときは、前記第２記憶手段に記憶されている前記設定値を前記選択手段で選択した設定値に更新する更新手段と、をコンピュータに実行させることを特徴とするプログラムである。
【００１５】
この場合に、前記第１検出手段により前記方向キーの操作を検出したときは、前記第１記憶手段で当該検出した方向の操作と関連付けて記憶されている設定、及び前記選択手段で選択した設定値をコンピュータの表示装置に表示する表示手段をさらにコンピュータに実行させることを特徴としてもよい。
【発明の効果】
【００１６】
（１）の発明によれば、方向キーを１度操作するだけで、複数の設定項目のひとつを選択し、この選択した設定項目の設定値を１段階変更して更新することができるので、各設定項目の設定値を更新する操作を簡易化することができる。
【００１７】
（２）の発明によれば、方向キーを１度操作するだけで、複数の設定項目のひとつを選択し、この選択した設定項目の設定値を１段階変更した値を選択することができ、後は決定キーを操作するだけで当該選択した値で設定値を更新することができるので、各設定項目の設定値を更新する操作を簡易化することができる。
【発明を実施するための最良の形態】
【００１８】
以下、本発明を実施するための最良の一形態について説明する。
【００１９】
図１は、本実施形態の電気的な接続のブロック図である。この携帯電話機１は、本発明の電子機器を実施するもので、各種演算を行い、各部を集中的に制御するＣＰＵ１１と、各種のＲＯＭ、ＲＡＭから構成されるメモリ１２とが、バス１３を介して接続されている。バス１３には適宜所定のインターフェイスを介して、アンテナ１４により移動体通信網２と無線通信を行う通信インターフェイス（Ｉ／Ｆ）１５と、各種キー１６と、液晶ディスプレイ１７と、送話用のマイク１８と、受話用のスピーカ１９と、磁気記憶装置又は不揮発性メモリから構成される記憶装置２０と、が接続されている。各種キー１６には、後述する方向キー２１と、決定キー２２とを含んでいる（図２参照）。
【００２０】
記憶装置２０にはアプリケーションプログラム２３がセットアップされていて、このアプリケーションプログラム２３に基づき、後述のような処理を行うことができる。このアプリケーションプログラム２３は、本発明のプログラムを実施するもので、移動体通信網２を介してインターネット３からダウンロードしたものであり、携帯電話機１の所定のＯＳ上で動作する。
【００２１】
図２は、方向キー２１及び決定キー２２の平面図である。方向キー２１はいわゆる十字キーであり、上方向３１、左方向３２、下方向３３、右方向３４にそれぞれ操作することができる。もちろん、本発明はこの４方向操作に限定するものではなく、例えば８方向の方向キーとしてもよい。方向キー２１の中央部には決定キー２２が設けられている。
【００２２】
次に、アプリケーションプログラム２３に基づいて携帯電話機１が実行する具体的な処理について説明する。
【００２３】
携帯電話機１は、アプリケーションプログラム２３に基づき、ユーザの操作に応じて様々な動作を行う。このアプリケーションプログラム２３に基づいて様々な動作を行わせるに際して、ユーザは様々な「設定」を行うことができる。この複数種類の設定項目については、それぞれ「設定値」を複数段階の中から選択して設定を行うことができる。携帯電話機１は、各設定項目につき、この選択した設定値を記憶装置２０に記憶する。そして、この記憶された各設定の設定値に応じて携帯電話機１はアプリケーションプログラム２３に基づく処理を行う。
【００２４】
そして、携帯電話機１は、アプリケーションプログラム２３に基づく処理を行うに際して、図３に示すようなメニュー設定画面を液晶ディスプレイ１７に表示し、方向キー２１、決定キー２２の操作により、複数種類の設定項目について、それぞれ設定値の変更を行うことできる。
【００２５】
図３の画面においては、中央ボタン５１を中心として方向キー２１の各方向と対応して各設定項目のボタン（設定項目ボタン）５２〜５５が表示され、各設定項目ボタン５２〜５５の外側には各設定項目の設定値のボタン（設定値ボタン）５６〜５９が表示される。
【００２６】
図３の例では、アプリケーションプログラム２３を起動したときに所定のキャラクタが挨拶する演出を行うか否かという設定項目（「挨拶設定」）が方向キー２１の左方向３２と関連付けられている。よって、中央ボタン５１の左方向の設定項目ボタン５２は「挨拶設定」と対応し、その外側には「挨拶設定」の「あり」「なし」の２つの設定値を示す設定値ボタン５６が表示される。
【００２７】
また、アプリケーションプログラム２３の初期動作モードを選択する「初期設定」が方向キー２１の下方向３３と関連付けられている。よって、中央ボタン５１の下方向の設定項目ボタン５３は「初期設定」と対応し、その外側には「初期設定」の「通常」「拡張」の２つの設定値を示す設定値ボタン５７が表示される。
【００２８】
さらに、アプリケーションプログラム２３の実行中の音声再生の有無を選択する「サウンド設定」が方向キー２１の右方向３４と関連付けられている。よって、中央ボタン５１の右方向の設定項目ボタン５４は「サウンド設定」と対応し、その外側には「サウンド設定」の「ある」「なし」の２つの設定値を示す設定値ボタン５８が表示される。
【００２９】
最後に、アプリケーションプログラム２３の動作と関連した所定のポイントの還元率を計算する際の還元率を選択する「還元率設定」が方向キー２１の上方向３５と関連付けられている。よって、中央ボタン５１の上方向の設定項目ボタン５５は「還元率設定」と対応し、その外側には「還元率設定」の「３」〜「２０」の各設定値を示す設定値ボタン５９が表示される。なお、図３に示す画面表示では、還元率「１３」が設定されているため、「１３」の前後３つの設定値が表示された状態となっている。
【００３０】
図３の画面表示では、各設定項目において設定されている設定値が反転して表示されている。すなわち、「挨拶設定」が「あり」、「初期設定」が「通常」、「サウンド設定」が「なし」、「還元率設定」が「１３」に設定されている。
【００３１】
図４は、方向キー２１の各方向、各設定項目、各設定値を関連付けて登録する設定保存テーブル４１の概念図である。この設定保存テーブル４１は、記憶装置２０の所定領域に格納される（図１）。
【００３２】
この設定保存テーブル４１は、方向キー２１の各方向４２と各設定項目４３とを関連付けて記憶していて、さらに、各設定項目４３と関連付けて当該設定項目４３の設定値を記憶する設定値記憶領域４４が用意されている。図４の例では、図３の例の場合の各設定項目の設定値が設定値記憶領域４４に記憶されている。
【００３３】
次に、メニュー設定画面における設定値の変更処理について説明する。図５は、アプリケーションプログラム２３に基づいて行われるかかる処理について説明するフローチャートである。
【００３４】
まず、決定キー２２の操作が検出されず（ステップＳ１のＮ）、方向キー２１の操作が検出されたときは（ステップＳ２のＹ）、その方向キー２１の操作方向の設定項目４２の設定値記憶領域４４の現在の設定値が上限値であれば（ステップＳ３のＹ）、方向キー２１の操作方向の設定項目４２の設定値記憶領域４４の値として下限値（＝０）を選択する（ステップＳ４）。例えば、「挨拶設定」で「あり」を上限値、「なし」を下限値とすれば、現在は「挨拶設定」で上限値「あり」を選択しているので、下限値（＝０）の「なし」が選択される。あるいは、「還元率設定」で上限値「２０」が設定値として設定されているならば、下限値「３」が選択される。
【００３５】
また、方向キー２１の操作方向の設定項目４２の設定値記憶領域４４の現在の設定値が上限値でなければ（ステップＳ３のＮ）、その方向キー２１の操作方向の設定項目４２の設定値記憶領域４４の現在の設定値を「＋１」だけ増加した値を設定値として選択する（ステップＳ５）。例えば、「挨拶設定」で「あり」を上限値、「なし」を下限値とすれば、現在は「挨拶設定」で下限値「なし」を選択しているなら、下限値「なし」を「＋１」だけ増加した値である「あり」が選択される。あるいは、「還元率設定」で「１１」が設定値として設定されているならば、この値を「＋１」だけ増加した値である「１２」が選択される。
【００３６】
このステップＳ４，Ｓ５における設定値の選択の結果は、メニュー設定画面のグラフィック表示に反映する（ステップＳ６）。例えば、方向キー２１の操作前にはメニュー設定画面の表示が図３のとおりであったとして、方向キー２１を右方向３４に操作したとすると、「サウンド設定」の設定項目ボタン５４の表示が反転し、また、設定値ボタン５８の「あり」の表示が反転することになる（図６）。
【００３７】
そして、決定キー２２が操作されると（ステップＳ１のＹ）、ステップＳ４，Ｓ５で選択され、ステップＳ６で表示された設定値で、設定保存テーブル４１の該当する設定項目４２の設定値記憶領域４４が更新される（ステップＳ７）。
【００３８】
また、図７は、アプリケーションプログラム２３における機能画面の例であるが、ここでも前述のメニュー設定画面と同様の操作により各設定項目の設定値を変更することができる。すなわち、図７の例では、中央ボタン６１を中心に方向キー２１の各方向に対応した「割引き設定」「割増し設定」「ポイント設定」等の各ボタン６２〜６５が表示されている。「ポイント設定」ボタン６３は、ポイント還元計算の還元率値を変更するボタンであり、「割引き設定」ボタン６２、「割増し設定」ボタン６４は、それぞれ割引き計算、割増し計算の割合値を変更するためのボタンである。図７の例では、方向キーを下方向３３に操作したことにより、「ポイント設定」の設定値であるポイント還元計算の還元率値が変動し、その還元率値の表示６６、この還元率値を適用する元値の表示６７、元値に還元率値を適用した値の表示６８がされている状態を示している。
【００３９】
以上説明した図５の処理によれば、方向キー２１を１度操作するだけで、複数の設定項目のひとつを選択し、この選択した設定項目の設定値を１段階変更した値を選択することができ（ステップＳ４，Ｓ５）、後は決定キー２２を操作するだけで当該選択した値で設定値を更新することができるので（ステップＳ７）、各設定項目の設定値を更新する操作を簡易化することができる。
【００４０】
特に、前述の「挨拶設定」、「初期設定」、「サウンド設定」などのように設定値が２段階の場合は、方向キー２１、決定キー２２を各１度操作するだけで、所望の設定項目について設定値を所望の値に更新することができる。
【００４１】
次に、図５のフローチャートと異なる処理例について説明する。図８は、この処理を示すフローチャートである。図８の処理では、決定キー２２を使用せず、方向キー２１を操作することにより、ただちに設定保存テーブル４１の設定値記憶領域４４が更新されるという特徴を備えている。
【００４２】
すなわち、方向キー２１の操作が検出されたときは（ステップＳ１１のＹ）、その方向キー２１の操作方向の設定項目４２の設定値記憶領域４４の現在の設定値が上限値であれば（ステップＳ１２のＹ）、方向キー２１の操作方向の設定項目４２の設定値記憶領域４４の値として下限値（＝０）を選択して、その値で設定値記憶領域４４を更新する（ステップＳ１３）。例えば、図３の例で、「挨拶設定」で「あり」を上限値、「なし」を下限値とすれば、現在は「挨拶設定」で上限値「あり」を選択しているので、下限値（＝０）の「なし」に更新される。あるいは、「還元率設定」で上限値「２０」が設定値として設定されているならば、下限値「３」に更新される。
【００４３】
また、方向キー２１の操作方向の設定項目４２の設定値記憶領域４４の現在の設定値が上限値でなければ（ステップＳ１２のＮ）、その方向キー２１の操作方向の設定項目４２の設定値記憶領域４４の現在の設定値を「＋１」だけ増加した値を設定値として選択し、その値で設定値記憶領域４４を更新する（ステップＳ１４）。例えば、図３の例で、「挨拶設定」で「あり」を上限値、「なし」を下限値とすれば、現在は「挨拶設定」で下限値「なし」を設定しているなら、下限値「なし」を「＋１」だけ増加した値である「あり」に更新される。あるいは、「還元率設定」で「１１」が設定値として設定されているならば、この値を「＋１」だけ増加した値である「１２」に更新される。
【００４４】
このステップＳ１３，Ｓ１４における設定値の選択の結果は、メニュー設定画面のグラフィック表示に反映する（ステップＳ１５）。これは、図５の処理の場合と同様である。
【００４５】
以上説明した図８の処理によれば、方向キー２１を１度操作するだけで、複数の設定項目の中のひとつを選択し、この選択した設定項目の設定値を１段階変更して更新することができるので（ステップＳ１３，Ｓ１４）、各設定項目の設定値を更新する操作を簡易化することができる。特に、前述の「挨拶設定」、「初期設定」、「サウンド設定」などのように設定値が２段階の場合は、方向キー２１を１度操作するだけで、所望の設定項目について設定値を所望の値に更新することができる。
【００４６】
なお、本実施形態の説明では、携帯電話機の例で説明したが、本発明の電子機器は携帯電話機に限定されるものではなく、様々な電子機器に本発明を適用することができる。
【図面の簡単な説明】
【００４７】
【図１】本発明の一実施形態である携帯電話の電気的な接続のブロック図である。
【図２】方向キー、決定キーの平面図である。
【図３】メニュー設定画面の表示例である。
【図４】設定保存テーブルの概念図である。
【図５】アプリケーションプログラムに基づいて実行する処理のフローチャートである。
【図６】メニュー設定画面の表示例である。
【図７】機能画面の表示例である。
【図８】アプリケーションプログラムに基づいて実行する他の処理例のフローチャートである。
【符号の説明】
【００４８】
１    電子機器
２１  方向キー
２２  決定キー
２３  プログラム
４１  第１記憶手段、第２記憶手段
【図１】
2007334385.tif 000003
【図２】
2007334385.tif 000004
【図３】
2007334385.tif 000005
【図４】
2007334385.tif 000006
【図５】
2007334385.tif 000007
【図６】
2007334385.tif 000008
【図７】
2007334385.tif 000009
【図８】
2007334385.tif 000010